(57)【特許請求の範囲】
【請求項１】
レーダ断面積の遠方領域での測定条件を考慮して、水平方向には大きく垂直方向に十分小さい被測定物のレーダ断面積の測定法において、被測定物から近傍領域に位置する場所で回転走査により測定した１次元の散乱電界の測定値をフレネル変換し、得られた等価散乱係数を被測定物の上記１次元方向の大きさ相当領域において積分することにより、遠方領域におけるモノスタティックレーダ断面積を求めることを特徴とするレーダ断面積測定方法。
【請求項２】
レーダ断面積の遠方領域での測定条件を考慮して、水平方向には大きく垂直方向に十分小さい被測定物のレーダ断面積の測定法において、被測定物から近傍領域に位置する場所で回転走査により測定した１次元の散乱電界の測定値をフレネル変換し、得られた等価散乱係数を被測定物の上記１次元方向の大きさ相当領域において積分することにより、遠方領域におけるバイスタティックレーダ断面積を求めることを特徴とするレーダ断面積測定方法。
【請求項３】
レーダ断面積の遠方領域での測定条件を考慮して、水平方向には大きく垂直方向に十分小さい被測定物のレーダ断面積の測定法において、被測定物から近傍領域に位置する場所で直線移動により測定した１次元の散乱電界の測定値をフレネル変換し、得られた等価散乱係数を被測定物の上記１次元方向の大きさ相当領域において積分することにより、遠方領域におけるモノスタティックレーダ断面積を求めることを特徴とするレーダ断面積測定方法。
【請求項４】
レーダ断面積の遠方領域での測定条件を考慮して、水平方向には大きく垂直方向に十分小さい被測定物のレーダ断面積の測定法において、被測定物から近傍領域に位置する場所で直線移動により測定した１次元の散乱電界の測定値をフレネル変換し、得られた等価散乱係数を被測定物の上記１次元方向の大きさ相当領域において積分することにより、遠方領域におけるバイスタティックレーダ断面積を求めることを特徴とするレーダ断面積測定方法。
【請求項５】
レーダ断面積の遠方領域での測定条件を考慮して、水平方向には大きく垂直方向に十分小さい被測定物のレーダ断面積の測定のために、被測定物から近傍領域に位置する場所で回転走査により測定した１次元の散乱電界の測定値をフレネル変換し、得られた等価散乱係数を被測定物の上記１次元方向の大きさ相当領域において積分することにより、遠方領域におけるモノスタティックレーダ断面積を求めるレーダ断面積測定方法を実現するため、被測定物を回転させる回転機構と、固定式の送信アンテナおよび受信アンテナと、で構成されたことを特徴とするレーダ断面積測定装置。
【請求項６】
レーダ断面積の遠方領域での測定条件を考慮して、水平方向には大きく垂直方向に十分小さい被測定物のレーダ断面積の測定のために、被測定物から近傍領域に位置する場所で回転走査により測定した１次元の散乱電界の測定値をフレネル変換し、得られた等価散乱係数を被測定物の上記１次元方向の大きさ相当領域において積分することにより、遠方領域におけるモノスタティックレーダ断面積を求めるレーダ断面積測定方法を実現するため、被測定物を支持する支持機構と、上記被測定物を中心とした円弧上を移動する機構に設置された送信アンテナおよび受信アンテナと、で構成されたことを特徴とするレーダ断面積測定装置。
【請求項７】
レーダ断面積の遠方領域での測定条件を考慮して、水平方向には大きく垂直方向に十分小さい被測定物のレーダ断面積の測定のために、被測定物から近傍領域に位置する場所で回転走査により測定した１次元の散乱電界の測定値をフレネル変換し、得られた等価散乱係数を被測定物の上記１次元方向の大きさ相当領域において積分することにより、遠方領域におけるバイスタティックレーダ断面積を求めるレーダ断面積測定方法を実現するため、被測定物を回転させる回転機構と、固定式の送信アンテナと、この送信アンテナと異なる位置にある固定式の受信アンテナと、で構成されたことを特徴とするレーダ断面積測定装置。
【請求項８】
レーダ断面積の遠方領域での測定条件を考慮して、水平方向には大きく垂直方向に十分小さい被測定物のレーダ断面積の測定のために、被測定物から近傍領域に位置する場所で回転走査により測定した１次元の散乱電界の測定値をフレネル変換し、得られた等価散乱係数を被測定物の上記１次元方向の大きさ相当領域において積分することにより、遠方領域におけるバイスタティックレーダ断面積を求めるレーダ断面積測定方法を実現するため、被測定物を支持する支持機構と、被測定物を中心とした円弧上を移動する機構に設置された送信アンテナと、この送信アンテナと異なる位置において同様に円弧上を移動する機構に設置された受信アンテナと、で構成されたことを特徴とするレーダ断面積測定装置。
【請求項９】
レーダ断面積の遠方領域での測定条件を考慮して、水平方向には大きく垂直方向に十分小さい被測定物のレーダ断面積の測定のために、被測定物から近傍領域に位置する場所で直線移動により測定した１次元の散乱電界の測定値をフレネル変換し、得られた等価散乱係数を被測定物の上記１次元方向の大きさ相当領域において積分することにより、遠方領域におけるモノスタティックレーダ断面積を求めるレーダ断面積測定方法を実現するため、被測定物を支持する支持機構と、被測定物から離れた場所を直線移動する機構に設置された送信アンテナおよび受信アンテナと、で構成されたことを特徴とするレーダ断面積測定装置。
【請求項１０】
レーダ断面積の遠方領域での測定条件を考慮して、水平方向には大きく垂直方向に十分小さい被測定物のレーダ断面積の測定のために、被測定物から近傍領域に位置する場所で直線移動により測定した１次元の散乱電界の測定値をフレネル変換し、得られた等価散乱係数を被測定物の上記１次元方向の大きさ相当領域において積分することにより、遠方領域におけるモノスタティックレーダ断面積を求めるレーダ断面積測定方法を実現するため、直線移動する機構上に設置された被測定物と、この被測定物から離れた位置に固定式の送信アンテナおよび受信アンテナと、を設置し構成されたことを特徴とするレーダ断面積測定装置。
【請求項１１】
レーダ断面積の遠方領域での測定条件を考慮して、水平方向には大きく垂直方向に十分小さい被測定物のレーダ断面積の測定のために、被測定物から近傍領域に位置する場所で直線移動により測定した１次元の散乱電界の測定値をフレネル変換し、得られた等価散乱係数を被測定物の上記１次元方向の大きさ相当領域において積分することにより、遠方領域におけるバイスタティックレーダ断面積を求めるレーダ断面積測定方法を実現するため、被測定物を支持する支持機構と、被測定物から離れた場所を直線移動する機構に設置された送信アンテナと、送信アンテナと異なる位置において、被測定物から離れた場所を直線移動する機構に設置された受信アンテナと、で構成されたことを特徴とするレーダ断面積測定装置。
【請求項１２】
レーダ断面積の遠方領域での測定条件を考慮して、水平方向には大きく垂直方向に十分小さい被測定物のレーダ断面積の測定のために、被測定物から近傍領域に位置する場所で直線移動により測定した１次元の散乱電界の測定値をフレネル変換し、得られた等価散乱係数を被測定物の上記１次元方向の大きさ相当領域において積分することにより、遠方領域におけるバイスタティックレーダ断面積を求めるレーダ断面積測定方法を実現するため、直線移動する機構上に設置された被測定物と、被測定物から離れた位置に固定式の送信アンテナと、送信アンテナと異なる位置に設置された固定式の受信アンテナと、で構成されたことを特徴とするレーダ断面積測定装置。
【請求項１３】
請求項５〜１２に記載のレーダ断面積測定装置において、上記被測定物と送信および受信アンテナ間に電波吸収体を設け、地面からの不要反射波を低減したことを特徴とするレーダ断面積測定装置。
【請求項１４】
請求項５〜１２に記載のレーダ断面積測定装置において、上記測定装置を電波暗室内に構成し、床面からの不要反射波、さらに周囲環境からの不要反射波を低減したことを特徴とするレーダ断面積測定装置。
【請求項１５】
請求項５〜１４に記載のレーダ断面積測定装置において、上記被測定物と送信および受信アンテナ間の距離を変えるように、上記被測定物または上記送信および受信アンテナを移動させる移動手段をさらに設け、上記被測定物と送信および受信アンテナ間の距離を変えて上記断面積測定を行うことを特徴とするレーダ断面積測定装置。
【発明の詳細な説明】
【０００１】
【発明の属する技術分野】
本発明は、レーダ断面積測定方法およびレーダ断面積測定装置に関するものである。
【０００２】
より詳細には、通常、レーダ断面積を測定する場合には、被測定物から十分離れた領域で測定しなければならない。通常、被測定物の最大径をＤ、測定波長をλとし、測定距離ｒは(１)式を満たす領域で測定しなければならない。
【０００３】
【数１】
0003658226.tif 000002
【０００４】
本発明は測定環境の制約からこの条件が満たされない領域での散乱界の測定値を用い、遠方領域のレーダ断面積を求める、レーダ断面積測定方法およびそれを実現するレーダ断面積測定装置に関するものである。
【０００５】
【従来の技術】
従来のレーダ断面積測定装置の例として、例えば文献１(１９９８年電子情報通信学会総合大会Ｂ‐１‐2)で、近傍領域において球面走査、円筒面走査および平面走査で測定した２次元の散乱界の測定値を変換し、遠方領域のレーダ断面積を求める方法が提案されている。この文献で提案されている方法の中で、球面走査の場合について以下に説明する。
【０００６】
上記文献１で定義している座標系を図１５に示す。図において、推定したいバイスタティックレーダ断面積の波源方向と観測方向の中心方向をＸ軸とし、波源方向および観測方向がＸＹ面内にあるようにＹ軸およびＺ軸をとり、そのバイスタティック角を２αとする。この推定したい波源方向と観測方向の延長線上において、原点からの距離がρの位置に測定する波源(点Ｐ)および観測点(点Ｑ)を設置する。球面走査において、波源および観測点は固定とし被測定物を回転させ、ＸＹ面内の走査角をφ、ＺＸ面内の走査角をθとする。また、被測定物のＹ軸方向およびＺ軸方向の最大長をｙw、ｚw、測定波長をλとし、測定領域ρは(２)式を満たす近傍領域とする。
【０００７】
【数２】
0003658226.tif 000003
【０００８】
近傍領域において球面走査により走査角φおよびθで測定した電界をＥs(θ、φ)とする。波数をｋ、測定範囲がθw、φwの測定データから(３)式により、被測定物のＹＺ面内の大きさ相当(ｙw、ｚw)の領域の等価散乱係数Ｓe(y、z)を求める。
【０００９】
【数３】
0003658226.tif 000004
【００１０】
次に、被測定物のＹＺ面内の大きさ相当(ｙw、ｚw)の等価散乱係数から(４)式で遠方領域におけるバイスタティックレーダ断面積σを求めることができる。
【００１１】
【数４】
0003658226.tif 000005
【００１２】
この方法により、被測定物から近傍領域において、２次元領域の散乱電界を測定することにより、遠方領域におけるレーダ断面積を求めることができる。
【００１３】
【発明が解決しようとする課題】
従来のレーダ断面積測定方法では、等価散乱係数を求めるために、２次元の散乱界の測定値が必要になる。しかし、被測定物がある１方向のみ大きい場合には、必ずしも２次元領域のデータが必要ではなく、過剰な測定が必要になるという課題があった。
【００１４】
この発明は上記の課題を解決するためになされたもので、過剰な測定を行わないコンパクトな測定系を実現できるレーダ断面積測定方法、およびアンテナ構造等が簡易な上記レーダ断面積測定法を行うレーダ断面積測定装置を提供することを目的とする。
【００１５】
【課題を解決するための手段】
上記の目的に鑑み、この発明は、レーダ断面積の遠方領域での測定条件を考慮して、水平方向には大きく垂直方向に十分小さい被測定物のレーダ断面積の測定法において、被測定物から近傍領域に位置する場所で回転走査により測定した１次元の散乱電界の測定値をフレネル変換し、得られた等価散乱係数を被測定物の上記１次元方向の大きさ相当領域において積分することにより、遠方領域におけるモノスタティックレーダ断面積を求めることを特徴とするレーダ断面積測定方法にある。
【００１６】
またこの発明は、レーダ断面積の遠方領域での測定条件を考慮して、水平方向には大きく垂直方向に十分小さい被測定物のレーダ断面積の測定法において、被測定物から近傍領域に位置する場所で回転走査により測定した１次元の散乱電界の測定値をフレネル変換し、得られた等価散乱係数を被測定物の上記１次元方向の大きさ相当領域において積分することにより、遠方領域におけるバイスタティックレーダ断面積を求めることを特徴とするレーダ断面積測定方法にある。
【００１７】
またこの発明は、レーダ断面積の遠方領域での測定条件を考慮して、水平方向には大きく垂直方向に十分小さい被測定物のレーダ断面積の測定法において、被測定物から近傍領域に位置する場所で直線移動により測定した１次元の散乱電界の測定値をフレネル変換し、得られた等価散乱係数を被測定物の上記１次元方向の大きさ相当領域において積分することにより、遠方領域におけるモノスタティックレーダ断面積を求めることを特徴とするレーダ断面積測定方法にある。
【００１８】
またこの発明は、レーダ断面積の遠方領域での測定条件を考慮して、水平方向には大きく垂直方向に十分小さい被測定物のレーダ断面積の測定法において、被測定物から近傍領域に位置する場所で直線移動により測定した１次元の散乱電界の測定値をフレネル変換し、得られた等価散乱係数を被測定物の上記１次元方向の大きさ相当領域において積分することにより、遠方領域におけるバイスタティックレーダ断面積を求めることを特徴とするレーダ断面積測定方法にある。
【００１９】
またこの発明は、レーダ断面積の遠方領域での測定条件を考慮して、水平方向には大きく垂直方向に十分小さい被測定物のレーダ断面積の測定のために、被測定物から近傍領域に位置する場所で回転走査により測定した１次元の散乱電界の測定値をフレネル変換し、得られた等価散乱係数を被測定物の上記１次元方向の大きさ相当領域において積分することにより、遠方領域におけるモノスタティックレーダ断面積を求めるレーダ断面積測定方法を実現するため、被測定物を回転させる回転機構と、固定式の送信アンテナおよび受信アンテナと、で構成されたことを特徴とするレーダ断面積測定装置にある。
【００２０】
またこの発明は、レーダ断面積の遠方領域での測定条件を考慮して、水平方向には大きく垂直方向に十分小さい被測定物のレーダ断面積の測定のために、被測定物から近傍領域に位置する場所で回転走査により測定した１次元の散乱電界の測定値をフレネル変換し、得られた等価散乱係数を被測定物の上記１次元方向の大きさ相当領域において積分することにより、遠方領域におけるモノスタティックレーダ断面積を求めるレーダ断面積測定方法を実現するため、被測定物を支持する支持機構と、上記被測定物を中心とした円弧上を移動する機構に設置された送信アンテナおよび受信アンテナと、で構成されたことを特徴とするレーダ断面積測定装置にある。
【００２１】
またこの発明は、レーダ断面積の遠方領域での測定条件を考慮して、水平方向には大きく垂直方向に十分小さい被測定物のレーダ断面積の測定のために、被測定物から近傍領域に位置する場所で回転走査により測定した１次元の散乱電界の測定値をフレネル変換し、得られた等価散乱係数を被測定物の上記１次元方向の大きさ相当領域において積分することにより、遠方領域におけるバイスタティックレーダ断面積を求めるレーダ断面積測定方法を実現するため、被測定物を回転させる回転機構と、固定式の送信アンテナと、この送信アンテナと異なる位置にある固定式の受信アンテナと、で構成されたことを特徴とするレーダ断面積測定装置にある。
【００２２】
またこの発明は、レーダ断面積の遠方領域での測定条件を考慮して、水平方向には大きく垂直方向に十分小さい被測定物のレーダ断面積の測定のために、被測定物から近傍領域に位置する場所で回転走査により測定した１次元の散乱電界の測定値をフレネル変換し、得られた等価散乱係数を被測定物の上記１次元方向の大きさ相当領域において積分することにより、遠方領域におけるバイスタティックレーダ断面積を求めるレーダ断面積測定方法を実現するため、被測定物を支持する支持機構と、被測定物を中心とした円弧上を移動する機構に設置された送信アンテナと、この送信アンテナと異なる位置において同様に円弧上を移動する機構に設置された受信アンテナと、で構成されたことを特徴とするレーダ断面積測定装置にある。
【００２３】
またこの発明は、レーダ断面積の遠方領域での測定条件を考慮して、水平方向には大きく垂直方向に十分小さい被測定物のレーダ断面積の測定のために、被測定物から近傍領域に位置する場所で直線移動により測定した１次元の散乱電界の測定値をフレネル変換し、得られた等価散乱係数を被測定物の上記１次元方向の大きさ相当領域において積分することにより、遠方領域におけるモノスタティックレーダ断面積を求めるレーダ断面積測定方法を実現するため、被測定物を支持する支持機構と、被測定物から離れた場所を直線移動する機構に設置された送信アンテナおよび受信アンテナと、で構成されたことを特徴とするレーダ断面積測定装置にある。
【００２４】
またこの発明は、レーダ断面積の遠方領域での測定条件を考慮して、水平方向には大きく垂直方向に十分小さい被測定物のレーダ断面積の測定のために、被測定物から近傍領域に位置する場所で直線移動により測定した１次元の散乱電界の測定値をフレネル変換し、得られた等価散乱係数を被測定物の上記１次元方向の大きさ相当領域において積分することにより、遠方領域におけるモノスタティックレーダ断面積を求めるレーダ断面積測定方法を実現するため、直線移動する機構上に設置された被測定物と、この被測定物から離れた位置に固定式の送信アンテナおよび受信アンテナと、を設置し構成されたことを特徴とするレーダ断面積測定装置にある。
【００２５】
またこの発明は、レーダ断面積の遠方領域での測定条件を考慮して、水平方向には大きく垂直方向に十分小さい被測定物のレーダ断面積の測定のために、被測定物から近傍領域に位置する場所で直線移動により測定した１次元の散乱電界の測定値をフレネル変換し、得られた等価散乱係数を被測定物の上記１次元方向の大きさ相当領域において積分することにより、遠方領域におけるバイスタティックレーダ断面積を求めるレーダ断面積測定方法を実現するため、被測定物を支持する支持機構と、被測定物から離れた場所を直線移動する機構に設置された送信アンテナと、送信アンテナと異なる位置において、被測定物から離れた場所を直線移動する機構に設置された受信アンテナと、で構成されたことを特徴とするレーダ断面積測定装置にある。
【００２６】
またこの発明は、レーダ断面積の遠方領域での測定条件を考慮して、水平方向には大きく垂直方向に十分小さい被測定物のレーダ断面積の測定のために、被測定物から近傍領域に位置する場所で直線移動により測定した１次元の散乱電界の測定値をフレネル変換し、得られた等価散乱係数を被測定物の上記１次元方向の大きさ相当領域において積分することにより、遠方領域におけるバイスタティックレーダ断面積を求めるレーダ断面積測定方法を実現するため、直線移動する機構上に設置された被測定物と、被測定物から離れた位置に固定式の送信アンテナと、送信アンテナと異なる位置に設置された固定式の受信アンテナと、で構成されたことを特徴とするレーダ断面積測定装置にある。
【００２７】
またこの発明は、上記レーダ断面積測定装置において、上記被測定物と送信および受信アンテナ間に電波吸収体を設け、地面からの不要反射波を低減したことを特徴とするレーダ断面積測定装置にある。
【００２８】
またこの発明は、上記レーダ断面積測定装置において、上記測定装置を電波暗室内に構成し、床面からの不要反射波、さらに周囲環境からの不要反射波を低減したことを特徴とするレーダ断面積測定装置にある。
【００２９】
またこの発明は、上記レーダ断面積測定装置において、上記被測定物と送信および受信アンテナ間の距離を変えるように、上記被測定物または上記送信および受信アンテナを移動させる移動手段をさらに設け、上記被測定物と送信および受信アンテナ間の距離を変えて上記断面積測定を行うことを特徴とするレーダ断面積測定装置にある。
【００３０】
【発明の実施の形態】
実施の形態１．
図１はこの発明の実施の形態１によるレーダ断面積測定方法について説明するための図である。図１に示すように推定したい遠方領域のモノスタテイックレーダ断面積の波源および観測方向をＸ軸とする座標系をとる。被測定物のＹ軸方向、およびＺ軸方向の最大径をそれぞれＹｗ、Ｚｗとし、測定を行う近傍領域の波源および観測点の位置をＸ軸上で原点から距離ρの位置にとる(点Ｐ)。被測定物に対する回転走査はＸＹ面内の回転とし、その走査角をφとする。また、被測定物からの距離ρは(５)式を満たすものとする。
【００３１】
【数５】
0003658226.tif 000006
【００３２】
すなわち、Ｚ軸方向の大きさに対しては、遠方領域となっているが、Ｙ軸方向の大きさに対しては近傍領域である。被測定物を角度φ回転させ測定した電界をＥs(φ)とする。波数をｋ、測定範囲が−φw/2〜φw/2の測定データから(６)式により、被測定物のＹ軸方向の大きさ相当の領域ｙwの等価散乱係数Ｓe(ｙ)を求める。
【００３３】
【数６】
0003658226.tif 000007
【００３４】
次に、被測定物のY軸方向の大きさ相当ｙwの等価散乱係数から、(７)式で遠方領域におけるＸ軸方向のモノスタティックレーダ断面積σを求めることができる。
【００３５】
【数７】
0003658226.tif 000008
【００３６】
このように本実施の形態によれば、近傍領域の散乱電界の測定値から遠方領域におけるモノスタティックレーダ断面積を求めることができるという効果がある。そして近傍領域の散乱電界の測定値のみを用いるため、コンパクトな測定系を実現できるという効果がある。
【００３７】
実施の形態２．
図２はこの発明の実施の形態２によるレーダ断面積測定方法について説明するための図である。図２に示すように推定したいバイスタティックレーダ断面積の波源方向と観測方向の中心方向をＸ軸とし、波源方向および観測方向がＸＹ面内にあるようにＹ軸およびＺ軸をとり、そのバイスタティック角を２αとする。この推定したい波源方向と観測方向の延長線上において、原点からの距離がρの位置に測定する波源(点Ｐ)および観測点(点Ｑ)を設置する。被測定物に対する回転走査は、ＸＹ面内の回転とし、その走査角をφとする。また、被測定物のＹ軸方向、およびＺ軸方向の最大径をＹｗ、Ｚｗとし、被測定物からの距離ρは(５)式を満たすものとする。
【００３８】
同様に、Ｚ軸方向の大きさに対しては、遠方領域となっているが、Ｙ軸方向の大きさに対しては近傍領域である。被測定物を角度φ回転させ測定した電界をＥs(φ)とする。波数をｋ、測定範囲が−φw/2〜φw/2の測定データから(８)式により、被測定物のＹ軸方向の大きさ相当の領域ｙwの等価散乱係数Ｓe(ｙ)を求める。
【００３９】
【数８】
0003658226.tif 000009
【００４０】
次に、被測定物のＹ軸方向の大きさ相当ｙwの等価散乱係数から、(７)式で遠方領域におけるバイスタティックレーダ断面積σを求めることができる。
【００４１】
このように本実施の形態によれば、近傍領域の散乱電界の測定値から遠方領域におけるバイスタティックレーダ断面積を求めることができるという効果がある。そして近傍領域の散乱電界の測定値のみを用いるため、コンパクトな測定系を実現できるという効果がある。
【００４２】
実施の形態３．
図３はこの発明の実施の形態３によるレーダ断面積測定方法について説明するための図である。図３に示すように推定したい遠方領域のモノスタテイックレーダ断面積の波源および観測方向をＸ軸とする座標系をとる。被測定物のＹ軸方向、およびＺ軸方向の最大径をＹｗ、Ｚｗとし、測定を行う近傍領域の波源および観測点の位置をＸ軸上で原点から距離ρの位置にとる(点Ｐ)。被測定物をＹ軸方向に直線的に移動させ測定を行い、その移動量をｙ’=−ρtanφとする。また、被測定物からの距離ρは(５)式を満たすものとする。
【００４３】
すなわち、Ｚ軸方向の大きさに対しては、遠方領域となっているが、Ｙ軸方向の大きさに対しては近傍領域である。被測定物をｙ’=−ρtanφだけ移動させ測定した電界をＥs(φ)とする。波数をｋ、測定範囲が−φw/2〜φw/2の測定データから(９)式により、被測定物のＹ軸方向の大きさ相当の領域ｙwの等価散乱係数Ｓe(ｙ)を求める。
【００４４】
【数９】
0003658226.tif 000010
【００４５】
次に、被測定物のＹ軸方向の大きさ相当ｙwの等価散乱係数から、(７)式で遠方領域におけるＸ軸方向のモノスタティックレーダ断面積σを求めることができる。
【００４６】
このように本実施の形態によれば、近傍領域の散乱電界の測定値から遠方領域におけるモノスタティックレーダ断面積を求めることができるという効果がある。そして、近傍領域の散乱電界の測定値のみを用いるため、コンパクトな測定系を実現できるという効果がある。また、回転走査が不要であり直線移動機構のみで構成できるという効果がある。
【００４７】
実施の形態４．
図４はこの発明の実施の形態４によるレーダ断面積測定方法について説明するための図である。図４に示すように推定したい遠方領域のバイスタティックレーダ断面積の波源方向と観測方向の中心方向をＸ軸とし、波源方向および観測方向がＸＹ面内にあるようにＹ軸およびＺ軸をとり、そのバイスタティック角を２αとする。この推定したい波源方向と観測方向の延長線上において、原点からの距離がρの位置に測定する波源(点Ｐ)および観測点(点Ｑ)を設置する。被測定物のＹ軸方向、およびＺ軸方向の最大径をＹｗ、Ｚｗとする。被測定物をＹ軸方向に直線的に移動させ測定を行い、その移動量をy’=−ρtanφとする。また、被測定物からの距離ρは(５)式を満たすものとする。
【００４８】
すなわち、Ｚ軸方向の大きさに対しては、遠方領域となっているが、Ｙ軸方向の大きさに対しては近傍領域である。被測定物をy’=−ρtanφだけ移動させ測定した電界をＥs(φ)とする。波数をｋ、測定範囲が−φw/2〜φw/2の測定データから(９)式により、被測定物のＹ軸方向の大きさ相当の領域ｙwの等価散乱係数Ｓe(ｙ)を求める。次に、被測定物のＹ軸方向の大きさ相当ｙwの等価散乱係数から、(７)式で遠方領域におけるＸ軸方向のモノスタティックレーダ断面積σを求めることができる。
【００４９】
このように本実施の形態によれば、近傍領域の散乱電界の測定値から遠方領域におけるバイスタティックレーダ断面積を求めることができるという効果がある。そして、近傍領域の散乱電界の測定値のみを用いるため、コンパクトな測定系を実現できるという効果がある。また、回転走査が不要であり直線移動機構のみで構成できるという効果がある。
【００５０】
実施の形態５．
図５はこの発明の実施の形態５によるレーダ断面積測定装置の構成例を示す図である。図において、１は被測定物、２は回転機構、３は送信アンテナ、４は受信アンテナ、５はアンテナ支持機構である。被測定物１は回転機構２の上に設置され、水平面内の所望の角度に回転することができる。
【００５１】
次に、この測定装置を用いた遠方領域におけるモノスタティックレーダ断面積の測定方法について説明する。送信アンテナ３から電波を放射し、被測定物１により反射された電波を受信アンテナ４で受信し、散乱電界を測定する。次に、回転機構を回転させ停止し、再度散乱電界を測定する。この手順を繰り返し、角度範囲が−φw/2〜φw/2の範囲の散乱電界を測定し、実施の形態１で説明した方法により等価散乱係数を求め、さらに遠方領域におけるモノスタティックレーダ断面積を求めことができる。
【００５２】
この測定装置により、近傍領域の散乱電界から遠方領域におけるモノスタティックレーダ断面積を求めることができるという効果がある。そして、一軸の回転機構と送信アンテナおよび受信アンテナで構成された簡易な構成で、測定装置を構成することができる効果がある。
【００５３】
実施の形態６．
図６はこの発明の実施の形態６によるレーダ断面積測定装置の構成例を示す図である。図において、１は被測定物、３は送信アンテナ、４は受信アンテナ、５はアンテナ支持機構、６は円弧状移動用レール、７は被測定物支持台である。実施の形態５と異なり、被測定物１は被測定物支持台７の上に置かれており容易に動かすことはできないが、送信アンテナ３および受信アンテナ４はアンテナ支持機構５を介して、被測定物１の近傍を中心とする円弧上を移動することができる。すなわち、被測定物１を回転させる代わりに、送信アンテナ３および受信アンテナ４を回転させることにより、代替機構とした。
【００５４】
次に、この測定装置を用いた遠方領域におけるモノスタティックレーダ断面積の測定方法について説明する。送信アンテナ３から電波を放射し、被測定物１により反射された電波を受信アンテナ４で受信し、散乱電界を測定する。次に、アンテナ支持機構５を円弧状移動用レール６に沿って移動させ停止し、再度散乱電界を測定する。この手順を繰り返し角度範囲が−φw/2〜φw/2の範囲の散乱電界を測定することにより、等価的に実施の形態５と同じ散乱電界の測定が可能である。よって、実施の形態１で説明した方法により等価散乱係数を求め、さらに遠方領域におけるモノスタティックレーダ断面積を求めことができる。
【００５５】
この測定装置により、近傍領域の散乱電界から遠方領域におけるモノスタティックレーダ断面積を求めることができるという効果がある。また、被測定物１が非常に大きく、また非常に重いため、これを支持しながら回転する機構の製作が困難な場合には、この測定装置が有効である。
【００５６】
実施の形態７．
図７はこの発明の実施の形態７によるレーダ断面積測定装置の構成例を示す図である。図において、１は被測定物、２は回転機構、３は送信アンテナ、４は受信アンテナ、５はアンテナ支持機構である。被測定物１は回転機構２の上に設置され、水平面内の所望の角度に回転することができる。
【００５７】
次に、この測定装置を用いた遠方領域におけるバイスタティックレーダ断面積の測定方法について説明する。まず、送信アンテナ３から被測定物１、そして受信アンテナ４で構成される角度が測定したいバイスタティック角をなすように配置し、かつ測定したい方向が、この中心方向になるように配置する。送信アンテナ３から電波を放射し、被測定物１により反射された電波を受信アンテナ４で受信し、散乱電界を測定する。次に、回転機構２を回転させ停止し、再度散乱電界を測定する。この手順を繰り返し、角度範囲が−φw/2〜φw/2の範囲の散乱電界を測定し、実施の形態２で説明した方法により等価散乱係数を求め、さらに遠方領域におけるバイスタティックレーダ断面積を求めことができる。
【００５８】
この測定装置により、近傍領域の散乱電界から遠方領域におけるバイスタティックレーダ断面積を求めることができるという効果がある。また、一軸の回転機構と送信アンテナおよび受信アンテナで構成された簡易な構成で、測定装置を構成することができる効果がある。
【００５９】
実施の形態８．
図８はこの発明の実施の形態８によるレーダ断面積測定装置の構成例を示す図である。図において、１は被測定物、３は送信アンテナ、４は受信アンテナ、５はアンテナ支持機構、６は円弧状移動用レール、７は被測定物支持台である。実施の形態７と異なり、被測定物１は被測定物支持台７の上に置かれており容易に動かすことはできないが、送信アンテナ３および受信アンテナ４はアンテナ支持機構５を介して、被測定物１の近傍を中心とする円弧上を移動することができる。すなわち、被測定物１を回転させる代わりに、送信アンテナ３よび受信アンテナ４を同時に同様に移動させることにより、代替機構とした。
【００６０】
次に、この測定装置を用いた遠方領域におけるバイスタティックレーダ断面積の測定方法について説明する。まず、送信アンテナ３から被測定物１、そして受信アンテナ４で構成される角度が測定したいバイスタティック角をなすように配置し、かつ測定したい方向が、この中心方向になるように配置する。送信アンテナ３から電波を放射し、被測定物１により反射された電波を受信アンテナ４で受信し、散乱電界を測定する。次に、送信アンテナ３および受信アンテナ４が設置されている２つのアンテナ支持機構５を、円弧状移動用レール６に沿って同じ方向に同じ距離だけ移動させ停止し、再度散乱電界を測定する。この手順を繰り返し角度範囲が−φw/2〜φw/2の範囲の散乱電界を測定することにより、実施の形態７と等価的な散乱電界の測定が可能である。よって、実施の形態２で説明した方法により等価散乱係数を求め、さらに遠方領域におけるバイスタティックレーダ断面積を求めことができる。
【００６１】
この測定装置により、近傍領域の散乱電界から遠方領域におけるバイスタティックレーダ断面積を求めることができるという効果がある。また、被測定物１が非常に大きく、また非常に重いため、これを支持しながら回転する機構の製作が困難な場合には、この測定装置が有効である。
【００６２】
実施の形態９．
図９はこの発明の実施の形態９によるレーダ断面積測定装置の構成例を示す図である。図において、１は被測定物、３は送信アンテナ、４は受信アンテナ、５はアンテナ支持機構、７は被測定物支持台、８は直線状移動用レールである。送信アンテナ３および受信アンテナ４はアンテナ支持機構５に設置されており、直線状移動用レール８に沿って直線的に移動が可能である。
【００６３】
次に、この測定装置を用いた遠方領域におけるモノスタティックレーダ断面積の測定方法について説明する。送信アンテナ３から電波を放射し、被測定物１により反射された電波を受信アンテナ４で受信し、散乱電界を測定する。次に、送信アンテナ３および受信アンテナ４を直線状移動用レール８に沿って移動させ、再度散乱電界を測定する。この手順を繰り返し、角度範囲が−φw/2〜φw/2の範囲の散乱電界を測定し(直線移動量をy’=−ρtanφと定義)、実施の形態３で述べたアルゴリズムにより等価散乱係数を求め、遠方領域におけるモノスタティックレーダ断面積を求めことができる。
【００６４】
この測定装置により、近傍領域の散乱電界から遠方領域におけるモノスタティックレーダ断面積を求めることができるという効果がある。また、この測定装置により、直線移動という比較的容易な走査方法でモノスタティックレーダ断面積を求めることができるという効果がある。また、被測定物を支持し回転する機構が不要であるという効果がある。
【００６５】
実施の形態１０．
図１０はこの発明の実施の形態１０によるレーダ断面積測定装置の構成例を示す図である。図において、１は被測定物、３は送信アンテナ、４は受信アンテナ、５はアンテナ支持機構、７は被測定物支持台、８は直線状移動用レールである。送信アンテナ３および受信アンテナ４はアンテナ支持機構５に設置されており、直線状移動用レール８に沿って直線的に移動が可能である。すなわち実施の形態９と比べて、送信アンテナ３および受信アンテナ４を移動させる代わりに、被測定物を移動させることにより代替機構とした。
【００６６】
次に、この測定装置を用いた遠方領域におけるモノスタティックレーダ断面積の測定方法について説明する。送信アンテナ３から電波を放射し、被測定物１により反射された電波を受信アンテナ４で受信し、散乱電界を測定する。次に、被測定物１を直線状移動用レール８に沿って移動させ、再度散乱電界を測定する。この手順を繰り返し、角度範囲が−φw/2〜φw/2の範囲の散乱電界を測定し(直線移動量をy’=−ρtanφと定義)、実施の形態３で述べたアルゴリズムにより等価散乱係数を求め、遠方領域におけるモノスタティックレーダ断面積を求めことができる。
【００６７】
この測定装置により、近傍領域の散乱電界から遠方領域におけるモノスタティックレーダ断面積を求めることができるという効果がある。また、直線移動という比較的容易な走査方法でモノスタティックレーダ断面積を求めることができるという効果がある。また、被測定物を支持し回転する機構が不要であるという効果がある。
【００６８】
実施の形態１１．
図１１はこの発明の実施の形態１１によるレーダ断面積測定装置の構成例を示す図である。図において、１は被測定物、３は送信アンテナ、４は受信アンテナ、５はアンテナ支持機構、７は被測定物支持台、８は直線状移動用レールである。送信アンテナ３および受信アンテナ４はアンテナ支持機構５に設置されており、直線状移動用レール８に沿って直線的に移動が可能である。
【００６９】
次に、この測定装置を用いた遠方領域におけるバイスタティックレーダ断面積の測定方法について説明する。まず、送信アンテナ３から被測定物１、そして受信アンテナ４で構成される角度が測定したいバイスタティック角をなすように配置し、かつ測定したい方向が、この中心方向になるように配置する。送信アンテナ３から電波を放射し、被測定物１により反射された電波を受信アンテナ４で受信し、散乱電界を測定する。次に、送信アンテナ３および受信アンテナ４を同時に同じ方向に直線状移動用レール８に沿って移動させ、再度散乱電界を測定する。この手順を繰り返し、角度範囲が−φw/2〜φw/2の範囲の散乱電界を測定し(直線移動量をy’=−ρtanφと定義)、実施の形態４で述べたアルゴリズムにより等価散乱係数を求め、遠方領域におけるバイスタティックレーダ断面積を求めことができる。
【００７０】
この測定装置により、近傍領域の散乱電界から遠方領域におけるバイスタティックレーダ断面積を求めることができるという効果がある。また、直線移動という比較的容易な走査方法でバイスタティックレーダ断面積を求めることができるという効果がある。また、被測定物を支持し回転する機構が不要であるという効果がある。
【００７１】
実施の形態１２．
図１２はこの発明の実施の形態１２によるレーダ断面積測定装置の構成例を示す図である。図において、１は被測定物、３は送信アンテナ、４は受信アンテナ、５はアンテナ支持機構、７は被測定物支持台、８は直線状移動用レールである。被測定物１はアンテナ支持機構５に設置されており、直線状移動用レール８に沿って直線的に移動が可能である。すなわち、実施の形態１１と比べて、送信アンテナ３および受信アンテナ４を移動させる代わりに、被測定物１を移動させることにより代替機構とした。
【００７２】
次に、この測定装置を用いた遠方領域におけるバイスタティックレーダ断面積の測定方法について説明する。まず、送信アンテナ３から被測定物１、そして受信アンテナ４で構成される角度が測定したいバイスタティック角をなすように配置し、かつ測定したい方向が、この中心方向になるように配置する。送信アンテナ３から電波を放射し、被測定物１により反射された電波を受信アンテナ４で受信し、散乱電界を測定する。次に、被測定物１を直線状移動用レール８に沿って移動させ、再度散乱電界を測定する。この手順を繰り返し、角度範囲が−φw/2〜φw/2の範囲の散乱電界を測定し(直線移動量をy’=−ρtanφと定義)、実施の形態４で述べたアルゴリズムにより等価散乱係数を求め、遠方領域におけるバイスタティックレーダ断面積を求めことができる。
【００７３】
この測定装置により、近傍領域の散乱電界から遠方領域におけるバイスタティックレーダ断面積を求めることができるという効果がある。また、直線移動という比較的容易な走査方法でバイスタティックレーダ断面積を求めることができるという効果がある。また、被測定物を支持し回転する機構が不要であるという効果がある。
【００７４】
実施の形態１３．
図１３はこの発明の実施の形態１３によるレーダ断面積測定装置の構成例を示す図である。図において、１は被測定物、２は回転機構、３は送信アンテナ、４は受信アンテナ、５はアンテナ支持機構、９は電波吸収体である。
【００７５】
このレーダ断面積測定装置による測定方法は、実施の形態５で述べた方法と同じであるが、送信アンテナ３から放射され地面で反射する不要な電磁波、および被測定物で反射した後、地面で反射して受信アンテナで受信される不要な電磁波は電波吸収体９により吸収されるため、精度の高い測定が可能になる。
【００７６】
なお実施の形態５に限らず、その他の実施の形態においても電波吸収体９を設けることで同様な効果が得られる。
【００７７】
実施の形態１４．
また上記実施の形態１３では地面の上のみに吸収体を設置しているが、この実施の形態の発明では、実施の形態５〜１２で提案したレーダ断面積測定装置を電波暗室内(特に図示せず)に設置することにより、地面反射による不要な電磁波だけでなく、周囲に存在する様々な散乱体で反射される不要な電磁波も押さえることができ、より高精度な測定が可能になる。
【００７８】
実施の形態１５．
図１４はこの発明の実施の形態１５によるレーダ断面積測定装置の構成例を示す図である。図１４はこの実施の形態の発明を例えば実施の形態５に適用したレーダ断面積測定装置である。図において、１は被測定物、２は回転機構、３は送信アンテナ、４は受信アンテナ、５はアンテナ支持機構、８ａは直線状移動用レールである。送信アンテナ３および受信アンテナ４は移動用レール８ａに沿って、移動することができ、被測定物１との距離を任意に設定可能な構成となっている。
【００７９】
次に、この測定装置を用いた遠方領域におけるモノスタティックレーダ断面積の測定方法について説明する。まず、送信アンテナ３および受信アンテナ４の被測定物１からの距離を近傍領域のある距離に設定する。次に、実施の形態５で述べた手法により被測定物により反射された散乱電界を測定し、モノスタティックレーダ断面積を求める。次に、送信アンテナ３および受信アンテナ４を移動用レール８ａに沿って移動させ、再度モノスタティックレーダ断面積を測定する。この手順を複数回繰り返し測定したモノスタティックレーダ断面積を平均したものを測定値とする方法である。
【００８０】
上記手法により測定誤差やばらつきなどの不確定要素を低減したり、地面反射による不要な反射波の影響を低減することができ、より高精度な測定が可能になる。
【００８１】
なお、移動用レール８ａは被測定物１側に設けてもよく、被測定物１と送信および受信アンテナ３、４間の距離を変えるものであればよい。さらに、実施の形態５に限らず、その他の実施の形態においても移動用レール８ａを設けることで、同様な効果が得られる。
【００８２】
【発明の効果】
上記のようにこの発明によれば、レーダ断面積の遠方領域での測定条件を考慮して、水平方向には大きく垂直方向に十分小さい被測定物のレーダ断面積の測定法において、被測定物から近傍領域に位置する場所で回転走査により測定した１次元の散乱電界の測定値をフレネル変換し、得られた等価散乱係数を被測定物の上記１次元方向の大きさ相当領域において積分することにより、遠方領域におけるモノスタティックレーダ断面積を求めることを特徴とするレーダ断面積測定方法としたので、近傍領域の散乱電界の測定値から遠方領域におけるモノスタティックレーダ断面積を求めることができるという効果がある。そして近傍領域の散乱電界の測定値のみを用いるため、コンパクトな測定系を実現できるという効果がある。
【００８３】
またこの発明では、レーダ断面積の遠方領域での測定条件を考慮して、水平方向には大きく垂直方向に十分小さい被測定物のレーダ断面積の測定法において、被測定物から近傍領域に位置する場所で回転走査により測定した１次元の散乱電界の測定値をフレネル変換し、得られた等価散乱係数を被測定物の上記１次元方向の大きさ相当領域において積分することにより、遠方領域におけるバイスタティックレーダ断面積を求めることを特徴とするレーダ断面積測定方法としたので、近傍領域の散乱電界の測定値から遠方領域におけるバイスタティックレーダ断面積を求めることができるという効果がある。そして近傍領域の散乱電界の測定値のみを用いるため、コンパクトな測定系を実現できるという効果がある。
【００８４】
またこの発明では、レーダ断面積の遠方領域での測定条件を考慮して、水平方向には大きく垂直方向に十分小さい被測定物のレーダ断面積の測定法において、被測定物から近傍領域に位置する場所で直線移動により測定した１次元の散乱電界の測定値をフレネル変換し、得られた等価散乱係数を被測定物の上記１次元方向の大きさ相当領域において積分することにより、遠方領域におけるモノスタティックレーダ断面積を求めることを特徴とするレーダ断面積測定方法としたので、近傍領域の散乱電界の測定値から遠方領域におけるモノスタティックレーダ断面積を求めることができるという効果がある。そして、近傍領域の散乱電界の測定値のみを用いるため、コンパクトな測定系を実現できるという効果がある。また、回転走査が不要であり直線移動機構のみで構成できるという効果がある。
【００８５】
またこの発明では、レーダ断面積の遠方領域での測定条件を考慮して、水平方向には大きく垂直方向に十分小さい被測定物のレーダ断面積の測定法において、被測定物から近傍領域に位置する場所で直線移動により測定した１次元の散乱電界の測定値をフレネル変換し、得られた等価散乱係数を被測定物の上記１次元方向の大きさ相当領域において積分することにより、遠方領域におけるバイスタティックレーダ断面積を求めることを特徴とするレーダ断面積測定方法としたので、近傍領域の散乱電界の測定値から遠方領域におけるバイスタティックレーダ断面積を求めることができるという効果がある。そして、近傍領域の散乱電界の測定値のみを用いるため、コンパクトな測定系を実現できるという効果がある。また、回転走査が不要であり直線移動機構のみで構成できるという効果がある。
【００８６】
またこの発明では、レーダ断面積の遠方領域での測定条件を考慮して、水平方向には大きく垂直方向に十分小さい被測定物のレーダ断面積の測定のために、被測定物から近傍領域に位置する場所で回転走査により測定した１次元の散乱電界の測定値をフレネル変換し、得られた等価散乱係数を被測定物の上記１次元方向の大きさ相当領域において積分することにより、遠方領域におけるモノスタティックレーダ断面積を求めるレーダ断面積測定方法を実現するため、被測定物を回転させる回転機構と、固定式の送信アンテナおよび受信アンテナと、で構成されたことを特徴とするレーダ断面積測定装置としたので、近傍領域の散乱電界から遠方領域におけるモノスタティックレーダ断面積を求めることができるという効果がある。そして、一軸の回転機構と送信アンテナおよび受信アンテナで構成された簡易な構成で、測定装置を構成することができる効果がある。
【００８７】
またこの発明では、レーダ断面積の遠方領域での測定条件を考慮して、水平方向には大きく垂直方向に十分小さい被測定物のレーダ断面積の測定のために、被測定物から近傍領域に位置する場所で回転走査により測定した１次元の散乱電界の測定値をフレネル変換し、得られた等価散乱係数を被測定物の上記１次元方向の大きさ相当領域において積分することにより、遠方領域におけるモノスタティックレーダ断面積を求めるレーダ断面積測定方法を実現するため、被測定物を支持する支持機構と、上記被測定物を中心とした円弧上を移動する機構に設置された送信アンテナおよび受信アンテナと、で構成されたことを特徴とするレーダ断面積測定装置としたので、近傍領域の散乱電界から遠方領域におけるモノスタティックレーダ断面積を求めることができるという効果がある。また、被測定物が非常に大きく、また非常に重いため、これを支持しながら回転する機構の製作が困難な場合には、この測定装置が有効である。
【００８８】
またこの発明では、レーダ断面積の遠方領域での測定条件を考慮して、水平方向には大きく垂直方向に十分小さい被測定物のレーダ断面積の測定のために、被測定物から近傍領域に位置する場所で回転走査により測定した１次元の散乱電界の測定値をフレネル変換し、得られた等価散乱係数を被測定物の上記１次元方向の大きさ相当領域において積分することにより、遠方領域におけるバイスタティックレーダ断面積を求めるレーダ断面積測定方法を実現するため、被測定物を回転させる回転機構と、固定式の送信アンテナと、この送信アンテナと異なる位置にある固定式の受信アンテナと、で構成されたことを特徴とするレーダ断面積測定装置としたので、近傍領域の散乱電界から遠方領域におけるバイスタティックレーダ断面積を求めることができるという効果がある。また、一軸の回転機構と送信アンテナおよび受信アンテナで構成された簡易な構成で、測定装置を構成することができる効果がある。
【００８９】
またこの発明はで、レーダ断面積の遠方領域での測定条件を考慮して、水平方向には大きく垂直方向に十分小さい被測定物のレーダ断面積の測定のために、被測定物から近傍領域に位置する場所で回転走査により測定した１次元の散乱電界の測定値をフレネル変換し、得られた等価散乱係数を被測定物の上記１次元方向の大きさ相当領域において積分することにより、遠方領域におけるバイスタティックレーダ断面積を求めるレーダ断面積測定方法を実現するため、被測定物を支持する支持機構と、被測定物を中心とした円弧上を移動する機構に設置された送信アンテナと、この送信アンテナと異なる位置において同様に円弧上を移動する機構に設置された受信アンテナと、で構成されたことを特徴とするレーダ断面積測定装置としたので、近傍領域の散乱電界から遠方領域におけるバイスタティックレーダ断面積を求めることができるという効果がある。また、被測定物１が非常に大きく、また非常に重いため、これを支持しながら回転する機構の製作が困難な場合には、この測定装置が有効である。
【００９０】
またこの発明では、レーダ断面積の遠方領域での測定条件を考慮して、水平方向には大きく垂直方向に十分小さい被測定物のレーダ断面積の測定のために、被測定物から近傍領域に位置する場所で直線移動により測定した１次元の散乱電界の測定値をフレネル変換し、得られた等価散乱係数を被測定物の上記１次元方向の大きさ相当領域において積分することにより、遠方領域におけるモノスタティックレーダ断面積を求めるレーダ断面積測定方法を実現するため、被測定物を支持する支持機構と、被測定物から離れた場所を直線移動する機構に設置された送信アンテナおよび受信アンテナと、で構成されたことを特徴とするレーダ断面積測定装置としたので、近傍領域の散乱電界から遠方領域におけるモノスタティックレーダ断面積を求めることができるという効果がある。また、この測定装置により、直線移動という比較的容易な走査方法でモノスタティックレーダ断面積を求めることができるという効果がある。また、被測定物を支持し回転する機構が不要であるという効果がある。
【００９１】
またこの発明では、レーダ断面積の遠方領域での測定条件を考慮して、水平方向には大きく垂直方向に十分小さい被測定物のレーダ断面積の測定のために、被測定物から近傍領域に位置する場所で直線移動により測定した１次元の散乱電界の測定値をフレネル変換し、得られた等価散乱係数を被測定物の上記１次元方向の大きさ相当領域において積分することにより、遠方領域におけるモノスタティックレーダ断面積を求めるレーダ断面積測定方法を実現するため、直線移動する機構上に設置された被測定物と、この被測定物から離れた位置に固定式の送信アンテナおよび受信アンテナと、を設置し構成されたことを特徴とするレーダ断面積測定装置としたので、近傍領域の散乱電界から遠方領域におけるモノスタティックレーダ断面積を求めることができるという効果がある。また、直線移動という比較的容易な走査方法でモノスタティックレーダ断面積を求めることができるという効果がある。また、被測定物を支持し回転する機構が不要であるという効果がある。
【００９２】
またこの発明では、レーダ断面積の遠方領域での測定条件を考慮して、水平方向には大きく垂直方向に十分小さい被測定物のレーダ断面積の測定のために、被測定物から近傍領域に位置する場所で直線移動により測定した１次元の散乱電界の測定値をフレネル変換し、得られた等価散乱係数を被測定物の上記１次元方向の大きさ相当領域において積分することにより、遠方領域におけるバイスタティックレーダ断面積を求めるレーダ断面積測定方法を実現するため、被測定物を支持する支持機構と、被測定物から離れた場所を直線移動する機構に設置された送信アンテナと、送信アンテナと異なる位置において、被測定物から離れた場所を直線移動する機構に設置された受信アンテナと、で構成されたことを特徴とするレーダ断面積測定装置としたので、近傍領域の散乱電界から遠方領域におけるバイスタティックレーダ断面積を求めることができるという効果がある。また、直線移動という比較的容易な走査方法でバイスタティックレーダ断面積を求めることができるという効果がある。また、被測定物を支持し回転する機構が不要であるという効果がある。
【００９３】
またこの発明では、レーダ断面積の遠方領域での測定条件を考慮して、水平方向には大きく垂直方向に十分小さい被測定物のレーダ断面積の測定のために、被測定物から近傍領域に位置する場所で直線移動により測定した１次元の散乱電界の測定値をフレネル変換し、得られた等価散乱係数を被測定物の上記１次元方向の大きさ相当領域において積分することにより、遠方領域におけるバイスタティックレーダ断面積を求めるレーダ断面積測定方法を実現するため、直線移動する機構上に設置された被測定物と、被測定物から離れた位置に固定式の送信アンテナと、送信アンテナと異なる位置に設置された固定式の受信アンテナと、で構成されたことを特徴とするレーダ断面積測定装置としたので、近傍領域の散乱電界から遠方領域におけるバイスタティックレーダ断面積を求めることができるという効果がある。また、直線移動という比較的容易な走査方法でバイスタティックレーダ断面積を求めることができるという効果がある。また、被測定物を支持し回転する機構が不要であるという効果がある。
【００９４】
またこの発明では、上記レーダ断面積測定装置において、上記被測定物と送信および受信アンテナ間に電波吸収体を設け、地面からの不要反射波を低減したことを特徴とするレーダ断面積測定装置としたので、送信アンテナから放射され地面で反射する不要な電磁波、および被測定物で反射した後、地面で反射して受信アンテナで受信される不要な電磁波は電波吸収体により吸収されるため、精度の高い測定が可能になる。
【００９５】
またこの発明では、上記レーダ断面積測定装置において、上記測定装置を電波暗室内に構成し、床面からの不要反射波、さらに周囲環境からの不要反射波を低減したことを特徴とするレーダ断面積測定装置としたので、地面反射による不要な電磁波だけでなく、周囲に存在する様々な散乱体で反射される不要な電磁波も押さえることができ、より高精度な測定が可能になる。
【００９６】
またこの発明では、上記レーダ断面積測定装置において、上記被測定物と送信および受信アンテナ間の距離を変えるように、上記被測定物または上記送信および受信アンテナを移動させる移動手段をさらに設け、上記被測定物と送信および受信アンテナ間の距離を変えて上記断面積測定を行うことを特徴とするレーダ断面積測定装置としたので、複数回繰り返し測定したモノスタティックレーダ断面積を平均したものを測定値とすることで、測定誤差やばらつきなどの不確定要素を低減したり、地面反射による不要な反射波の影響を低減することができ、より高精度な測定が可能になる。
【図面の簡単な説明】
【図１】  この発明の実施の形態１によるレーダ断面積測定方法について説明するための図である。
【図２】  この発明の実施の形態２によるレーダ断面積測定方法について説明するための図である。
【図３】  この発明の実施の形態３によるレーダ断面積測定方法について説明するための図である。
【図４】  この発明の実施の形態４によるレーダ断面積測定方法について説明するための図である。
【図５】  この発明の実施の形態５によるレーダ断面積測定装置の構成例を示す図である。
【図６】  この発明の実施の形態６によるレーダ断面積測定装置の構成例を示す図である。
【図７】  この発明の実施の形態７によるレーダ断面積測定装置の構成例を示す図である。
【図８】  この発明の実施の形態８によるレーダ断面積測定装置の構成例を示す図である。
【図９】  この発明の実施の形態９によるレーダ断面積測定装置の構成例を示す図である。
【図１０】  この発明の実施の形態１０によるレーダ断面積測定装置の構成例を示す図である。
【図１１】  この発明の実施の形態１１によるレーダ断面積測定装置の構成例を示す図である。
【図１２】  この発明の実施の形態１２によるレーダ断面積測定装置の構成例を示す図である。
【図１３】  この発明の実施の形態１３によるレーダ断面積測定装置の構成例を示す図である。
【図１４】  この発明の実施の形態１５によるレーダ断面積測定装置の構成例を示す図である。
【図１５】  従来のレーダ断面積測定方法を説明するための図である。
【符号の説明】
１  被測定物、２  回転機構、３  送信アンテナ、４  受信アンテナ、５  アンテナ支持機構、６  円弧状移動用レール、７  被測定物支持台、８，８ａ  直線状移動用レール。
【図１】
0003658226.tif 000011
【図２】
0003658226.tif 000012
【図３】
0003658226.tif 000013
【図４】
0003658226.tif 000014
【図５】
0003658226.tif 000015
【図６】
0003658226.tif 000016
【図７】
0003658226.tif 000017
【図８】
0003658226.tif 000018
【図９】
0003658226.tif 000019
【図１０】
0003658226.tif 000020
【図１１】
0003658226.tif 000021
【図１２】
0003658226.tif 000022
【図１３】
0003658226.tif 000023
【図１４】
0003658226.tif 000024
【図１５】
0003658226.tif 000025